(57)【要約】【課題】  中空糸膜式空気除湿装置の製作性と点検時の分解を容易にする。【解決手段】  中空糸膜式空気除湿装置の除湿塔７内の第３隔壁２２をボルト２５で第２隔壁２１へ締結する際に、同時にその締結時の力で全ての気密シールカバー２０を第２隔壁２１へ、同じく全ての中空糸膜フィルタ２モジュール１を第１隔壁１８へ一括して押し付けて固定する。また、そのボルト２５の締結解除によって前述の押し付けを解消して、除湿塔７内の第３隔壁２２と中空糸膜フィルタモジュール１とを除湿塔７から分解取り出しして中空糸膜フィルタモジュール１を個々に点検できる状態とする。【選択図】図１
2005193186.tif 000002
【特許請求の範囲】
【請求項１】
開閉自在な蓋を備えた除湿塔と、
前記除湿塔内を複数の区画に区画する複数の隔壁と、
前記除湿塔内に収納された複数の中空糸膜フィルタモジュールと、
前記中空糸膜フィルタモジュールの一端部に装着されて前記一端部において隣り合う前記隔壁間に配置され、それらの隔壁とそれぞれ向き合っているカバーと、
前記隣り合う隔壁のそれぞれと前記カバーとの間にそれぞれ配置された第１シール部材と、
前記中空糸膜フィルタモジュールの他端部に装着された気密シール板と、
前記隣り合う隔壁とは別の前記隔壁と前記シール板との間にそれぞれ配置された第２シール部材と、
前記隣り合う隔壁を解除可能に締結する締結手段と、
を備えた中空糸膜式空気除湿装置。
【請求項２】
開閉自在な上蓋が備わる除湿塔と、
前記除湿塔内の除湿塔入口エリアとパージ空気出口エリアとの間に設けられた第１隔壁と、
前記除湿塔内の除湿塔パージ空気入口エリアとパージ空気出口エリアとの間に設けられた第２隔壁と、
前記除湿塔内の除湿塔パージ空気入口エリアと除湿空気出口エリアとの間に設けられた第３隔壁と、
前記除湿塔の外側と前記除湿塔入口エリアとを連通する除湿塔入口と、
前記除湿塔の外側と前記除湿空気出口エリアとを連通する除湿塔出口と、
前記除湿塔出口から前記除湿塔外へ出される空気の一部を前記除湿塔パージ空気入口エリアに導く除湿塔パージ空気入口と、
前記除湿塔の外側と前記パージ空気出口エリアとを連通する除湿塔パージ空気出口と、
前記除湿塔入口エリアに除湿空気入口が、前記除湿空気出口エリアに除湿空気出口が、前記除湿塔パージ空気入口エリアにパージ空気入口が、前記パージ空気出口エリアにパージ空気出口がそれぞれ連通するように前記除湿塔内に装備された複数の中空糸膜フィルタモジュールと、
前記中空糸膜フィルタモジュールを、前記第１隔壁に、気密シール板を介して受けるように前記気密シール板と前記第１隔壁との間に設けた第１のＯリングパッキンと、
前記除湿塔パージ空気入口エリアに位置する前記中空糸膜フィルタモジュール部分に、前記中空糸膜フィルタモジュール部分を前記除湿塔パージ空気入口エリアから隔離するように装着した気密シールカバーと、
前記第２隔壁と前記気密シールカバーとの間に設けた第２のＯリングパッキンと、
前記第３隔壁と前記気密シールカバーとの間に設けた第３のＯリングパッキンと、
前記第３隔壁の外縁部分を前記第２隔壁へ締め付けるボルトと、
を備えた中空糸膜式空気除湿装置。
【請求項３】
請求項２において、前記除湿塔パージ空気入口はフランジを介して前記パージ空気入口エリアに機械的に且つ着脱自在に接続され、
前記除湿塔パージ空気出口はフランジを介して前記パージ空気出口エリアに機械的に且つ着脱自在に接続され、
前記除湿塔に除湿塔内外間を開閉するハッチが備えられている中空糸膜式空気除湿装置。
【請求項４】
請求項２又は請求項３において、前記気密シールカバーは前記中空糸膜フィルタモジュールの除湿空気出口へ装着位置が上下可変に装着されている中空糸膜式空気除湿装置。
【請求項５】
請求項４において、前記中空糸膜フィルタモジュールの除湿空気出口は前記中空糸フィルタモジュールの上部に回転自在に装着された第１のノズルによって構成され、前記第１のノズルに形成されたネジに前記気密シールカバーに形成したネジを螺合させた構成としてある中空糸膜式空気除湿装置。
【請求項６】
請求項２から請求項５までのいずれか一項において、前記中空糸膜フィルタモジュールの除湿空気入口は前記中空糸フィルタモジュールの下部に回転自在に装着された第２のノズルによって構成され、前記第２のノズルに形成したネジに前記気密シール板に形成したネジを螺合させた構成としてある中空糸膜式空気除湿装置。
【請求項７】
請求項２から請求項６までのいずれか一項において、前記第１のＯリングパッキンの上下厚さを前記第２と第３の各Ｏリングパッキンの上下厚さよりも厚く、前記第２のＯリングパッキンの上下厚さを前記第３のＯリングパッキンの上下厚さよりも厚くしてある中空糸膜式空気除湿装置。
【発明の詳細な説明】
【技術分野】
【０００１】
本発明は中空糸膜フィルタモジュールを使用した空気除湿装置の構造に関するものである。
【背景技術】
【０００２】
液体の通過する容器内に複数の中空糸膜フィルタモジュールを設置して、その液体を中空糸膜フィルタモジュールで濾過する技術が知られている（例えば、特許文献１や特許文献２を参照）。容器内で中空糸膜フィルタモジュールを設置する際には、中空糸膜フィルタモジュール個々にボルトによる設置手段が講じられている。
【０００３】
【特許文献１】特開昭６４−５１１０６号公報
【特許文献２】特開２００３−２３６３４６号公報
【発明の開示】
【発明が解決しようとする課題】
【０００４】
液体を濾過する手段として用いられる中空糸膜フィルタモジュールの設置は中空糸膜フィルタモジュールごとにボルトによって固定して機密確保を達成しているが、以下の原理の相違からくる構造上の制約から中空糸膜フィルタモジュールを空気除湿手段として採用した際に中空糸膜フィルタモジュールの固定にボルトによる締結を適用することは困難であることを見出した。
【０００５】
即ち、液体である水の濾過を目的に、中空糸膜フィルタモジュールを水が通過すれば濾過機能が為されるので、達成される。つまり、水の濾過を目的とした場合、中空糸膜フィルタモジュールの太さには基本的に設計上の制約がないため、大きな中空糸膜フィルタモジュールを単品又は、数本程度設置する構造となる。この場合は中空糸膜フィルタモジュール単位にボルトで固定する前述の公知例の方法は有効である。
【０００６】
一方、空気除湿用に中空糸膜フィルタモジュールを用いる場合は、中空糸膜フィルタモジュールの中空糸膜内部空洞を湿分空気（除湿しようとする対象の空気）が通過する際に中空糸膜外部の乾燥空気（湿分空気よりも湿度の少ない空気）との間の水蒸気圧差により中空糸膜内部の湿分を中空糸膜外部に排出する原理が用いられる。このような原理を用いて気体である空気の除湿を行う場合には、中空糸膜フィルタモジュールの中空糸膜面から中空糸膜内部空洞中心側（中空糸膜内部空洞の中央部）へ離れて流れる湿分空気程、除湿が行われにくく、除湿性能が低下する。
【０００７】
つまり、中空糸膜フィルタモジュールの中空糸膜を太くすると中空糸膜内部空洞の中央部を通る湿分空気は除湿効果が少ないことになり、除湿の機能上、中空糸膜フィルタモジュールの太さが制約されることになる。そのため、空気の除湿を行う場合、除湿効果を高めるべく、空気除湿用に中空糸膜フィルタモジュールを用いる場合は細い中空糸膜フィルタモジュールを多くの本数容器内に設置する構造となる。
【０００８】
この場合は非常に多くの中空糸膜フィルタモジュールを限られた大きさの容器に設置することになるから、その設置作業は狭隘部での中空糸膜フィルタモジュールの固定となる。そのため、それぞれ中空糸膜フィルタモジュール単位にボルトで固定する水の濾過手段における中空糸膜フィルタモジュールの固定設置方法の適用は困難であった。
【０００９】
中空糸膜フィルタモジュールの固定にボルトによる締結作業に代えて溶接手段による溶着も考えられるが、溶着による固定の場合には、狭隘部での溶接作業が伴うので困難である。また、中空糸膜フィルタモジュールを取り出して保守点検乃至は交換する際における容器からの分解取り出しが、溶着部の切除が困難であるから、困難となる。その困難性は、容器も溶接で密閉されている構造であると一層大きくなる。
【００１０】
従って、本発明の目的は、中空糸膜フィルタモジュールを利用した中空糸膜式空気除湿装置に関して、点検のための分解，組立てが容易に行える構造を提供することに有る。
【課題を解決するための手段】
【００１１】
本発明の課題を解決するための手段は、開閉自在な蓋を備えた除湿塔と、前記除湿塔内を複数の区画に区画する複数の隔壁と、前記除湿塔内に収納された複数の中空糸膜フィルタモジュールと、前記中空糸膜フィルタモジュールの一端部に装着されて前記一端部において隣り合う前記隔壁間に配置され、それらの隔壁とそれぞれ向き合っているカバーと、前記隣り合う隔壁のそれぞれと前記カバーとの間にそれぞれ配置された第１シール部材と、前記中空糸膜フィルタモジュールの他端部に装着された気密シール板と、
前記隣り合う隔壁とは別の前記隔壁と前記シール板との間にそれぞれ配置された第２シール部材と、前記隣り合う隔壁を解除可能に締結する締結手段とを備えた中空糸膜式空気除湿装置であり、より具体的には、開閉自在な上蓋が備わる除湿塔と、前記除湿塔内の除湿塔入口エリアとパージ空気出口エリアとの間に設けられた第１隔壁と、前記除湿塔内の除湿塔パージ空気入口エリアとパージ空気出口エリアとの間に設けられた第２隔壁と、前記除湿塔内の除湿塔パージ空気入口エリアと除湿空気出口エリアとの間に設けられた第３隔壁と、前記除湿塔の外側と前記除湿塔入口エリアとを連通する除湿塔入口と、前記除湿塔の外側と前記除湿空気出口エリアとを連通する除湿塔出口と、前記除湿塔出口から前記除湿塔外へ出される空気の一部を前記除湿塔パージ空気入口エリアに導く除湿塔パージ空気入口と、前記除湿塔の外側と前記パージ空気出口エリアとを連通する除湿塔パージ空気出口と、前記除湿塔入口エリアに除湿空気入口が、前記除湿空気出口エリアに除湿空気出口が、前記除湿塔パージ空気入口エリアにパージ空気入口が、前記パージ空気出口エリアにパージ空気出口がそれぞれ連通するように前記除湿塔内に装備された複数の中空糸膜フィルタモジュールと、前記中空糸膜フィルタモジュールを、前記第１隔壁に、気密シール板を介して受けるように前記気密シール板と前記第１隔壁との間に設けた第１のＯリングパッキンと、前記除湿塔パージ空気入口エリアに位置する前記中空糸膜フィルタモジュール部分に、前記中空糸膜フィルタモジュール部分を前記除湿塔パージ空気入口エリアから隔離するように装着した気密シールカバーと、前記第２隔壁と前記気密シールカバーとの間に設けた第２のＯリングパッキンと、前記第３隔壁と前記気密シールカバーとの間に設けた第３のＯリングパッキンと、前記第３隔壁の外縁部分を前記第２隔壁へ締め付けるボルトとを備えた中空糸膜式空気除湿装置である。
【発明の効果】
【００１２】
本発明によれば、隔壁の締結手段による締結作業乃至は締結解除作業により空気除湿装置の容器内の全ての中空糸膜フィルタモジュールを一括して固定乃至は固定解除可能なので、中空糸膜式空気除湿装置の製作性や点検時の分解，組立てが容易に行える。
【発明を実施するための最良の形態】
【００１３】
中空糸膜式空気除湿装置の除湿塔７内の第３隔壁２２をボルト２５による締結作業で除湿塔７内に組み付ける際に、同時にそのボルト２５の締結力で複数の中空糸膜フィルタモジュール１を第３隔壁２２で一括して中空糸膜フィルタモジュール１固定個所へＯリングパッキンを介して押し付けて固定する。また、そのボルト２５の締結解除によって前述の押し付けを解消して、除湿塔７内の第３隔壁２２と中空糸膜フィルタモジュール１とを除湿塔７から分解取り出しして中空糸膜フィルタモジュール１を個々に点検できる状態とする。
【実施例１】
【００１４】
各種プラントに採用されている圧縮空気作動用の機器や計装機器に圧縮空気を供給する際に、空気を外気から取り入れ、その空気を圧縮機で圧縮してから湿分（水分）を除去して、それらの機器が要求している湿分以下の空気にする必要がある。その要求を満たすために、取り入れた空気から湿分を除去する装置として、中空糸膜式空気除湿装置が採用されている。
【００１５】
中空糸膜式空気除湿装置は以下のような構成を有する。即ち、図１のように、中空糸膜式空気除湿装置を支持する基礎には脚を介して除湿塔７が容器として固定されている。その除湿塔７の上部（図１の点線から上の部分）は、上蓋３０となっている。その上蓋３０は、図１の点線から下の部分、即ち除湿塔７の本体部分に対してボルト２９によって締結され、上蓋３０と本体部分との間はパッキンなどを介して気密にされている。そのボルト２９の締結状態を解除すると、上蓋３０は本体部分から外すことができる。
【００１６】
この除湿塔７の本体部分には、側面に開閉自在なハッチ２７が装備され、ハッチ２７と除湿塔７の本体部分との間はハッチ２７が閉じられた状態では気密に保たれ、ハッチ２７が開かれた状態においては、除湿塔７の内外が連通される。
【００１７】
除湿塔７は水平断面積が円状の内部空間を有し、その内部空間は、除湿塔入口エリア
１０と除湿空気出口エリア１１と除湿塔パージ空気入口エリア１４とパージ空気出口エリア１５との４領域に区画されている。その４領域を区画する受梁２８や第１隔壁１８や第２隔壁２１や第３隔壁２２の配置は以下のとおりである。
【００１８】
即ち、除湿塔７の本体部分の内壁面には、環状の平板が受梁２８として固定されている。その受梁と除湿塔７の内壁面との間は気密になるように両者の間は溶接で溶着されている。
【００１９】
この受梁２８には、有底円筒状の第１隔壁１８の外縁が搭載されている。更に具体的には、この第１隔壁１８は、上端が開放されていると共に、その上端には、環状の平板からなるフランジ３１が外側に突き出て設けられている。そのフランジ３１は第１隔壁１８の外縁部分となっている。その第１隔壁１８のフランジ３１部分が受梁２８上に搭載されている。この第１隔壁１８の底には複数の貫通孔３２が開けられていて、その貫通孔３２には、中空糸膜フィルタモジュール１の除湿空気入口３を構成するノズル３ａが、図２で見られるように、差し入れられている。また、その貫通孔３２の周囲における第１隔壁１８部分には、第１のＯリングパッキン１９ａが設置されている。
【００２０】
この第１隔壁１８のフランジ３１上には受梁２８とも重なるようにして第２隔壁２１の外縁部分が搭載されている。その第２隔壁２１は、外縁が円板状の形状を有し、その外縁の内側部分には、図２に見られるように、中空糸膜フィルタモジュール１が上下方向に通過できる大きさの貫通孔３３が複数形成されている。この貫通孔３３の周囲における第２隔壁２１部分の上には、第２のＯリングパッキン１９ｂが設置されている。
【００２１】
これらの第１隔壁１８の外縁部分（フランジ３１）と第２隔壁２１の外縁部分とは、一括して、その外縁部分に沿って配置した複数のボルト２３によって受梁２８へ締結されている。このように除湿塔７に第１隔壁１８と第２隔壁２１が固定されている状態で、中空糸膜フィルタモジュール１が貫通孔３３を通って第１隔壁１８の内側に差し入れられ、中空糸膜フィルタモジュール１の除湿空気入口３のノズル３ａが貫通穴３２に入れられる。
【００２２】
中空糸膜フィルタモジュール１の除湿空気入口３のノズル３ａの外周面には雄ネジが加工されていて、その雄ネジに環状平板状の気密シール板１７の内周に加工した雌ネジを螺合させることで中空糸膜フィルタモジュール１に気密シール板１７が装着される。その気密シール板１７の下面は第１のＯリングパッキン１９ａ上に搭載されて、両者間は気密に接している。このようにして、複数の中空糸膜フィルタモジュール１が第１隔壁１８の内側に入れられている。
【００２３】
中空糸膜フィルタモジュール１の上部は、第２隔壁２１よりも上方に突き出ていて、その中空糸膜フィルタモジュール１の上部には気密シールカバーが被されている。その気密シールカバー２０は上部が概ねふさがれ、下部が開かれた筒状の形状を有する。その気密シールカバー２０の上面には、中央に貫通孔が設けられていて、その貫通孔を中空糸膜フィルタモジュール１の除湿空気出口４を構成するノズル４ａが差し込まれている。そのノズル４ａの上端はその気密シールカバー２０の上面から上方に突き出ている。気密シールカバー２０の下端の外縁部には外側に突き出た環状のフランジ２０ａ部が設けられている。その気密シールカバー２０のフランジ２０ａ部が、第２隔壁２１に形成した貫通孔３３の周囲で第２隔壁２１上に設けられている第２のＯリングパッキン１９ｂ上に搭載されて、両者間は気密に接している。
【００２４】
中空糸膜フィルタモジュール１には中空糸膜フィルタモジュール１へのパージ空気入口５を構成するノズル５ａがネジ込まれて装着されている。気密シールカバー２０には、ノズル５ａが貫通する横孔が形成されていている。その横孔は、気密シールカバー２０を若干上下方向に動かすことを許容するように上下方向に長い長孔とされている。この気密シールカバー２０は、内面が中空糸膜フィルタモジュール１上部の外周面に接触して、その長孔を流体が通過することはない。
【００２５】
中空糸膜フィルタモジュール１の除湿空気出口４を構成するノズル４ａの下部には雄ネジ４ｂが加工されて、その雄ネジ４ｂが中空糸膜フィルタモジュール１に加工した雌ネジに螺合して回転自在とされる。そのノズル４ａの中央部から上部にかけて雄ネジ４ｂとは逆ネジ関係となる雄ネジ４ｄが形成され、その雄ネジ４ｄには、気密シールカバー２０に設けた雌ネジが螺合している。このように、ネジを用いてそのノズル４ａに気密シールカバー２０を取り付けてある。そして、気密シールカバー２０とノズル４ａとが螺合するネジと、ノズル４ａと中空糸膜フィルタモジュール１とが螺合するネジとは互いに逆ネジの関係に設定され、ノズル４ａを回転させることで気密シールカバー２０を上下にネジ送りできるようにしている。
【００２６】
気密シールカバー２０の上面には第３隔壁２２が覆い被さっている。第３隔壁２２は、上端が塞がれ、下端が開放された円筒状の形状を有し、その下端には水平外側に突き出た環状平板状のフランジ３５が外縁部として備えている。その第３隔壁２２の上面には、複数の貫通孔３６が形成され、その貫通孔３６を中空糸膜フィルタモジュール１の除湿空気出口４を構成するノズル４ａが貫通している。更に、気密シールカバー２０の上面に面する第３隔壁２２の部分であって、ノズル４ａの周囲には第３のＯリングパッキン１９ｃが設置されている。
【００２７】
このような気密シールカバー２０と第２，第３の各Ｏリングパッキン１９ｂ，１９ｃとで一つの気密手段を構成し、気密シール板１７と第１のＯリングパッキン１９ａとでもう一つの気密手段が構成されている。
【００２８】
第３隔壁２２のフランジ３５部分は、そのフランジ３５部分に沿って配置された複数のボルト２５によって、図３のように、第２隔壁２１へ気密に固定されている。そのボルト２５で第２隔壁２１へ第３隔壁２２を締め付けると、その締め付け力で第３隔壁２２が第３のＯリングパッキン１９ｃを下方へ押す力として働くので、その押す力は、第３隔壁
２２から第３のＯリングパッキン１９ｃへ、第３のＯリングパッキン１９ｃから気密シールカバー２０へ、気密シールカバー２０から第２のＯリングパッキン１９ｂへ、更には、第３隔壁２２からノズル４ａへ、ノズル４ａから中空糸膜フィルタモジュール１を通じてノズル３ａへ、ノズル３ａから気密シール板１７へ、気密シール板１７から第１のＯリングパッキン１９ａへと加えられる。このようにして中空糸膜フィルタモジュール１は気密シール板１７や気密シールカバー２０や第１，第２，第３の各Ｏリングパッキンを介して第１，第２，第３の各隔壁へ押し付けられて固定される。
【００２９】
そのため、第１，第２，第３の各Ｏリングパッキンにはボルトによる締め付け力に比例した大きさの押し付け力が与えられて、第１，第２，第３の各Ｏリングパッキンを介して接する各部の気密が確実に維持できる。その気密を更に確実なものとするために、第１，第２，第３の各Ｏリングパッキンの上下方向の厚さに関しては、第１のＯリングパッキン１９ａの厚さを前記第２と第３の各Ｏリングパッキンの厚さよりも厚く、且つ前記第２のＯリングパッキン１９ｂの厚さを前記第３のＯリングパッキン１９ｃの厚さよりも厚くしてある。即ち、第１のＯリングパッキン１９ａの厚さが一番厚く、次に第２のＯリングパッキン１９ｂ、次に第３のＯリングパッキン１９ｃの順に薄く設定される。このような第１，第２，第３の各Ｏリングパッキンの厚さの関係であると、第１隔壁１８から加えた下向きの押し付け力を第２，第３の各Ｏリングパッキンへ極力均等に加えることが出来、押し付け分配力のバランスの悪さによって気密性が損なわれる事が防止できる。
【００３０】
人間の目で見て第１，第２，第３の各Ｏリングパッキンへ加えられる押し付け力のバランスが悪くなると察知出来るほどの大きなバランスの崩れは、気密シール板１７をノズル３ａ廻りで回転させて、或いはノズル４ａを回転させる事によって気密シールカバー２０の上下位置を変えることで補正する。この実施例の場合には、ボルトを締めた後に、ノズル４ａを回転させる事でも、第１，第２，第３の各Ｏリングパッキンへの押し付け力のバランス調整や押し付け力の加減が行える。
【００３１】
上蓋３０には、除湿塔出口１２が設けられ、その除湿塔出口１２には、除湿後の空気を受ける機器へ接続されている配管４０がボルトによって着脱自在に接続されている。その配管４０には流量調整弁４１を介して配管４２の一端が接続され、その配管４２の他端はノズル１３ａの除湿塔７の外側端側へボルトによって接続されている。そのノズル１３ａは除湿塔７に固定されてその除湿塔７の壁面を貫通している。そのノズル１３ａは除湿塔パージ空気入口１３を構成する。
【００３２】
この第３隔壁２２の上面には、配管１３ｂの一端を上部フランジ２６部でボルトにより着脱自在に接続されている開口３７が設けられる。その配管１３ｂの他端はノズル１３ａの除湿塔７内側部へボルトにより着脱自在に接続されている。ノズル１３ａは除湿塔７に設けられ、除湿塔７の内外を連通する流路として利用されている。また、ノズル１３ａは配管１３ｂを通じて第２隔壁２１と第３隔壁２２とで囲われた除湿塔パージ空気入口エリア１４内と連通している。
【００３３】
また、第１隔壁１８の底部には、開口３８が備えられ、その開口３８には、下部フランジ２６を介してボルトにより配管３９が着脱自在に接続され、その配管３９には除湿塔７の壁を貫通している配管３９ａに接続され、配管３９ａには除湿塔パージ空気出口１６を構成する他の配管３９ｂが接続されている。このため、除湿塔パージ空気出口１６は第１隔壁１８と第２隔壁２１とで囲われたパージ空気出口エリア１５に接続される。
【００３４】
更に、除湿塔７の下部には、除湿塔入口９を構成する配管９ａが接続され、その配管
９ａは第１隔壁１８と受梁２８と除湿塔７内壁面で囲われた除湿塔入口エリア１０に連通している。そのため、除湿塔入口９は除湿塔入口エリア１０に連通していることになる。この除湿塔入口９を構成する配管９ａは、外気などの除湿したい空気を除湿塔７内に導入する方向に導くために用いられる。尚、気密シールカバー２０の上部に位置ズレ防止のボルト２４等を取り付けることも必要に応じて可能である。
【００３５】
このような構成の中空糸膜式空気除湿装置の具体的な機能と空気の流れは以下の通りである。外気などの除湿したい空気である湿分空気が、除湿塔７の除湿塔入口９の配管９ａより除湿塔入口エリア１０に入る。除湿塔入口エリア１０に入った湿分空気は中空糸膜フィルタモジュール１の除湿空気入口３のノズル３ａより中空糸膜フィルタモジュール１内に入気される。
【００３６】
中空糸膜フィルタモジュール１内に入気した湿分空気は、中空糸膜フィルタモジュール１内部の中空糸膜フィルタ２の内側を通り、除湿空気出口４のノズル４ａより除湿空気出口エリア１１へ吐出される。除湿空気出口エリア１１へ吐出された湿分空気は中空糸膜フィルタモジュール１で除湿されて乾燥空気になっている。
【００３７】
その除湿空気出口エリア１１へ吐出された乾燥空気は除湿空気出口エリア１１を通り、除湿塔出口１２より配管４０を通じて乾燥空気の供給先へ出て行く。その後、一部の乾燥空気は、配管４０から配管４２や流量調整弁４１を通じてノズル１３ａから配管１３ｂを通じて除湿塔７内の除湿塔パージ空気入口エリア１４に入る。その除湿塔パージ空気入口エリア１４に入った乾燥空気は中空糸膜フィルタモジュール１のパージ空気入口５のノズル５ａを通じて中空糸膜フィルタモジュール１内に入る。
【００３８】
中空糸膜フィルタモジュール１内に入った乾燥空気は、中空糸膜フィルタモジュール１内部の中空糸膜フィルタ２の外側を通ってパージ空気出口６からパージ空気出口エリア
１５へ吐出する。中空糸膜フィルタ２の外側を通る乾燥空気と、同じく内側を通る湿分空気との水蒸気圧差により湿分空気に含まれる湿分を乾燥空気が中空糸膜フィルタ２を介して吸収する。このように湿分を吸収した乾燥空気は、中空糸膜フィルタモジュール１のパージ空気出口６より水分を含んで除湿塔パージ空気出口エリア１５へ流出し、次いで除湿塔パージ空気出口エリア１５から配管３９ａ，３９ｂを経由して除湿塔パージ空気出口
１６へ流れ、除湿塔７外へ排出される。
【００３９】
このようにして、除湿塔７で除湿した乾燥空気の一部を湿分空気から湿分を吸収する空気に用いるために除湿塔７に戻し、除湿塔７の除湿機能を継続するものである。
【００４０】
このような空気を除湿する流れの中でそれぞれ除湿塔７内部の除湿塔入口エリア１０と除湿空気出口エリア１１，除湿塔パージ空気入口エリア１４及び、パージ空気出口エリア１５の４つのエリアは充分な気密性をもって分離させる必要がある。このため、第１，第２，第３の各隔壁と中空糸膜フィルタモジュール１の接合部は第１，第２，第３の各Ｏリングパッキンで気密に成っている。
【００４１】
このように実施例によれば、各隔壁と中空糸膜フィルタモジュール１を溶接で接合するのに比べ、狭隘部の溶接及び複雑な製作手順が不要となり、中空糸膜式除湿装置の製作を容易になる。また中空糸膜フィルタモジュール１の点検，交換の際の分解も溶接による接合の場合は非常に困難であるが、中空糸膜フィルタモジュール１の一本毎または全部を容易に取り外すことができ、そして、その分解手順は次のようになる。
【００４２】
まず、ボルト２９を外して除湿塔７の上蓋３０を取り外す。そして、その開いた除湿塔７の上部よりボルト２５を取り外しを行う。その後に上部フランジ２６からボルトを外すことで配管１３ｂと第３隔壁２２とを分離する。更には、その配管１３ｂと除湿塔パージ空気入口１３のノズル１３ａとの間のボルトの締結を解除して分離する。このようにして除湿塔７と第３隔壁２２から分離された配管１３ｂは除湿塔７外へ撤去される。その後に、第１隔壁１８を上部に吊上げて除湿塔７外へ撤去する。
【００４３】
その結果、中空糸膜フィルタ２モジュール１は全て第３隔壁２２を通じて下側へ押え付ける力を受けて固定されていたため、第３隔壁２２を取り外し後は、全ての中空糸膜フィルタモジュール１に関して自由に一本ずつ上方へ引き抜いて保守点検作業を加えることができる。
【００４４】
また、ハッチ２７を開いて下部フランジ２６のボルトを外す作業を行い、配管３９を第１隔壁１８から分離する。更に、ボルト２３の締結を解除してボルト２５で締結されている第１，第２，第３の各隔壁ごと全ての中空糸膜フィルタモジュール１を吊り上げて除湿塔７の外へ搬出し、搬出後にボルト２５の締結を解除して搬出先で中空糸膜フィルタモジュール１を抜いて保守点検作業にあたっても良い。
【００４５】
中空糸膜フィルタモジュールや除湿塔内の保守点検が済んだら既述の分解手順とは逆の手順で中空糸膜式除湿装置を組立てる。
【００４６】
このように、本実施例によれば、第３隔壁２２の外縁部（フランジ３５）を他の隔壁へ締結するボルト２５を締結することで全ての中空糸膜フィルタモジュール１の固定設置が可能である上、そのボルト２５を外すことで全ての中空糸膜フィルタモジュール１の引き抜きが可能となる。そのため、本実施例によれば、製作性の向上、及び、分解点検性に優れた中空糸膜式空気除湿装置を構成することができるものである。このように、本実施例によれば、空気が通される除湿塔７などの容器内に中空糸膜フィルタ２を内蔵した中空糸膜式空気除湿装置の製作性、及び、分解点検性に優れた効果を有する。
【産業上の利用可能性】
【００４７】
本発明は中空糸膜で空気の除湿を行う除湿装置に用途がある。
【図面の簡単な説明】
【００４８】
【図１】本発明の実施例による中空糸膜式空気除湿装置の縦断面図である。
【図２】図１の中空糸膜フィルタモジュールと各隔壁との間の取合関係を示した中空糸膜フィルタモジュール部の拡大図である。
【図３】図１の受梁部の拡大図である。
【図４】図１の第３隔壁２２の斜視図である。
【図５】図２の気密シールカバーとノズルの取合関係を示した拡大図である。
【図６】図１のＡ−Ａ矢視断面図である。
【符号の説明】
【００４９】
１…中空糸膜フィルタモジュール、２…中空糸膜フィルタ、３…除湿空気入口、４…除湿空気出口、５…パージ空気入口、６…パージ空気出口、７…除湿塔、９…除湿塔入口、１０…除湿塔入口エリア、１１…除湿空気出口エリア、１２…除湿塔出口、１３…除湿塔パージ空気入口、１４…除湿塔パージ空気入口エリア、１５…パージ空気出口エリア、
１６…除湿塔パージ空気出口、１７…気密シール板、１８…第１隔壁、１９ａ…第１のＯリングパッキン、１９ｂ…第２のＯリングパッキン、１９ｃ…第３のＯリングパッキン、２０…気密シールカバー、２１…第２隔壁、２２…第３隔壁、２３，２５，２９…ボルト、２７…ハッチ、２８…受梁。
【図１】
2005193186.tif 000003
【図２】
2005193186.tif 000004
【図３】
2005193186.tif 000005
【図４】
2005193186.tif 000006
【図５】
2005193186.tif 000007
【図６】
2005193186.tif 000008